(57)【要約】本発明は、ホストに接続され、前記ホストのハードウェアから表示データを少なくとも含むメディアデータを取得し、データメッセージを生成して無線方式によって伝送するホスト側データ通信手段と、無線方式によって伝送された当該データメッセージを受信し、解析してメディアデータにした後で、少なくとも表示装置に送信する表示装置側データ通信手段と、を備える無線表示システムを開示している。本発明のシステムによれば、ＣＰＵがキャプチャプログラムを実行して表示記憶ユニットから表示情報を取得しなくて済み、ＣＰＵの負荷を減少させ、伝送の遅延を避けることができる。
2009518902.tif 000002
【特許請求の範囲】
【請求項１】
無線表示システムであって、
ホストに接続され、前記ホストのハードウェアから表示データを少なくとも含むメディアデータを取得し、データメッセージを生成して無線方式によって伝送するホスト側データ通信手段と、
無線方式によって伝送された当該データメッセージを受信し、解析してメディアデータにした後で、少なくとも表示装置に送信する表示装置側データ通信手段と、を備えることを特徴とする無線表示システム。
【請求項２】
前記ホスト側データ通信手段が、
前記ホストのハードウェアから前記メディアデータを取得するデータ採取部と、
データメッセージの形で前記メディアデータを送信するホスト側無線通信部と、を備えることを特徴とする請求項１に記載の無線表示システム。
【請求項３】
前記ホスト側無線通信部が、
前記データ採取手段が取得したメディアデータをネットワーク転送プロトコルに従って相応するデータメッセージにパッキングするデータプロトコルパッキングユニットと、
ＵＷＢ無線によって前記データメッセージを送信するＵＷＢ送受信ユニットと、
ＵＷＢ送受信ユニットを制御して認証及び鍵合意の動作を行う制御ユニットと、を備えることを特徴とする請求項２に記載の無線表示システム。
【請求項４】
前記データ採取部が、Ａ／Ｄ変換器を備えることを特徴とする請求項２に記載の無線表示システム。
【請求項５】
前記データプロトコルパッキングユニットが、ＡＤＣ  ｃｏｎｔｒｏｌユニットを備えることを特徴とする請求項３に記載の無線表示システム。
【請求項６】
前記制御ユニットが、ＨＳＤＩ  Ｃｏｎｔｒｏｌユニットを備えることを特徴とする請求項３に記載の無線表示システム。
【請求項７】
前記ホスト側データ通信手段が、前記ホストのグラフィックスカードに外部から挿し込まれるか、又はグラフィックコントローラの出力インタフェースに直接接続されて、前記グラフィックスカードの出力から表示データを直接に取得することを特徴とする請求項２に記載の無線表示システム。
【請求項８】
前記ホスト側データ通信手段が、前記データ採取部で取得された表示データを圧縮して前記データプロトコルパッキングユニットに伝送するデータ圧縮部を更に備えることを特徴とする請求項３に記載の無線表示システム。
【請求項９】
前記ホスト側データ通信手段と前記表示装置側データ通信手段との通信プロトコルが、ＴＣＰ／ＩＰ，無線ＵＳＢ，無線１３９４，ＤＶＩ／ＨＳＤＩプロトコル、又は予め定義した他の転送プロトコルを採用していることを特徴とする請求項１に記載の無線表示システム。
【請求項１０】
前記データ採取部が、
表示情報を受信して、画素情報及び表示制御信号に変換する画像処理器と、
音声情報を受信して、オーディオ信号に変換するオーディオ処理ユニットと、を備えることを特徴とする請求項２に記載の無線表示システム。
【請求項１１】
前記ホスト側無線通信部が、
前記ホストと前記表示装置との無線接続を確立する検知・接続ユニットと、
通信品質を制御する通信制御ユニットと、
ビデオ画素情報及び制御信号又はオーディオ信号をメッセージ符号化するコーデックユニットと、
符号化されたメッセージを受信し、更に無線信号に符号化・変調して送信するＵＷＢ送受信ユニットと、を備えることを特徴とする請求項２に記載の無線表示システム。
【請求項１２】
前記通信制御ユニットが、検知応答メッセージで伝送された表示装置のパラメータを受信し、前記パラメータ及びユーザによって設定された表示パラメータに基づいて転送パラメータ及びメッセージ符号化フォーマットを確定し、前記ＵＷＢ送受信ユニットで当該転送パラメータ及びメッセージ符号化フォーマットを送信することを特徴とする請求項１１に記載の無線表示システム。
【請求項１３】
前記通信制御ユニットが、前記表示装置から伝送された信号の強さ及びパケットロス率の結果を検知して、前記ホストと前記表示装置との距離及び干渉を計算し、これに基づき前記ＵＷＢ送受信ユニットの発信電力を調整することを特徴とする請求項１１に記載の無線表示システム。
【請求項１４】
前記コーデックユニットによって符号化されたメッセージが、少なくとも（１）表示装置識別子情報と、（２）メッセージタイプ情報と、（３）メッセージ長さ情報と、（４）ビデオメッセージデータ又はオーディオメッセージデータとを含むことを特徴とする請求項１１に記載の無線表示システム。
【請求項１５】
前記ビデオメッセージデータが、少なくとも（１）フィールド同期情報と、（２）ライン同期情報と、（３）画素ユニット識別子と、（４）画素データとを含むことを特徴とする請求項１４に記載の無線表示システム。
【請求項１６】
前記ビデオメッセージデータにおける各種の情報の配置順番が、フィールド同期情報の後に、引き続いて１フィールド内の全てのラインに含まれる画素情報を配置し、ライン同期情報の後に、引き続いて１ライン内に含まれる全ての画素情報を配置することを特徴とする請求項１５に記載の無線表示システム。
【請求項１７】
前記表示装置側データ通信手段が、
無線方式によって送信されたデータメッセージを受信し、相応するプロトコルに従い解析してメディアデータにする表示装置側無線通信部と、
前記メディアデータを少なくとも前記表示装置に伝送するデータ出力部と、を備えることを特徴とする請求項１に記載の無線表示システム。
【請求項１８】
前記表示装置側無線通信部が、
ＵＷＢ無線によって前記ホストからのデータメッセージを受信するＵＷＢ送受信ユニットと、
前記ＵＷＢ送受信ユニットを制御して認証及び鍵合意の動作を行う制御ユニットと、
前記ＵＷＢ送受信ユニットで受信したデータメッセージを、プロトコルに従いメディアデータにアンパッキングするデータプロトコルアンパッキングユニットと、を備えることを特徴とする請求項１７に記載の無線表示システム。
【請求項１９】
前記データプロトコルアンパッキングユニットが、ＨＳＤＩ  Ｃｏｎｔｒｏｌユニットであることを特徴とする請求項１８に記載の無線表示システム。
【請求項２０】
前記データ出力部が、ＶＧＡ  ＤＭＡユニットと、ＶＧＡ  Ｃｏｎｔｒｏｌユニットと、ＶＧＡ  Ｔｉｍｉｎｇユニットとを備えることを特徴とする請求項１７に記載の無線表示システム。
【請求項２１】
前記データプロトコルアンパッキングユニットが、組込み型プロセスチップであることを特徴とする請求項１８に記載の無線表示システム。
【請求項２２】
前記データ出力部がＧＰＵであることを特徴とする請求項１７に記載の無線表示システム。
【請求項２３】
前記表示側データ通信手段が、前記表示装置に外部から挿し込まれるか、又は前記表示装置と一体化されていることを特徴とする請求項１７に記載の無線表示システム。
【請求項２４】
前記表示装置側データ通信手段が、送信されてきたフレーム画素データをそのまま利用して高速リフレッシュ処理を行うことを特徴とする請求項１７に記載の無線表示システム。
【請求項２５】
前記表示装置側データ通信手段が、データプロトコルアンパッキングユニットがアンパックした表示データを伸張してデータ出力ユニットに伝送するデータ伸張ユニットを更に備えることを特徴とする請求項１７に記載の無線表示システム。
【請求項２６】
前記表示装置側無線通信部が、
前記ホストから送信された無線信号を受信して復号化するＵＷＢ送受信ユニットと、
復号化した信号を受信し、更に画素情報、制御情報又はオーディオ情報に復号化するコーデックユニットと、
通信品質を制御する通信制御ユニットと、
前記ホストと前記表示装置との無線接続を確立する検知・接続ユニットと、を備えることを特徴とする請求項１７に記載の無線表示システム。
【請求項２７】
前記通信制御ユニットが、ライン及びフィールドのパラメータを確定するための表示装置のパラメータを制御信号から取得することを特徴とする請求項２６に記載の無線表示システム。
【請求項２８】
前記データ出力部が、
画素情報及び表示制御信号を受信し、前記情報に基づいて前記表示装置を駆動する表示コントローラと、
復号化したオーディオ信号を受信し、スピーカを駆動する駆動信号を発生するオーディオ出力ユニットと、を備えることを特徴とする請求項１７に記載の無線表示システム。
【請求項２９】
無線表示方法であって、
ホスト側でホストのハードウェアから表示データを少なくとも含むメディアデータを取得し、データメッセージを生成して無線方式によって送信する送信ステップと、
表示装置側で無線方式によって伝送された当該データメッセージを受信し、解析してメディアデータにして表示装置に出力する受信ステップと、を含むことを特徴とする無線表示方法。
【請求項３０】
前記送信ステップに、
前記ホストから前記メディアデータを取得するステップと、
データメッセージの形で前記メディアデータを送信するステップと、を含むことを特徴とする請求項２９に記載の無線表示方法。
【請求項３１】
前記のデータメッセージの形で前記メディアデータを送信するステップに、
取得したメディアデータをネットワーク転送プロトコルに従い相応するデータメッセージにパッキングするステップと、
ＵＷＢ無線によって前記データメッセージを送信するステップと、を含むことを特徴とする請求項３０に記載の無線表示方法。
【請求項３２】
前記受信ステップに、
無線方式によって送信されたデータメッセージを受信し、相応するプロトコルに従い解析してメディアデータにするステップと、
前記メディアデータを少なくとも前記表示装置に伝送するステップと、を含むことを特徴とする請求項２９に記載の無線表示方法。
【請求項３３】
前記の無線方式によって送信されたデータメッセージを受信し、相応するプロトコルに従い解析してメディアデータにするステップに、
ＵＷＢ無線によって前記ホストからのデータメッセージを受信するステップと、
受信したデータメッセージをプロトコルに従いメディアデータにアンパッキングするステップと、を含むことを特徴とする請求項３２に記載の無線表示方法。
【請求項３４】
送信ステップの前に、前記ホストと前記表示装置との接続を確立するステップを更に含むことを特徴とする請求項２９に記載の無線表示方法。
【請求項３５】
前記の接続を確立するステップに、
前記ホストから表示装置の識別子情報を含む検知メッセージを前記表示装置側へ送信するステップと、
前記表示装置が前記検知メッセージを受信し、前記検知メッセージ中の識別子情報を自身の識別子情報と比較するステップと、
前記検知メッセージ中の識別子情報が表示装置自身の識別子情報と一致した場合、表示装置の技術パラメータ及び機種番号を含む検知応答メッセージを前記表示装置からホストへ送信するステップと、
ホストが前記検知応答メッセージを受信し、接続を確立するステップと、を含むことを特徴とする請求項３４に記載の無線表示方法。
【請求項３６】
前記ホストが、前記表示装置の技術パラメータ及び機種番号に基づいて、前記表示装置へ送信されるデータメッセージの符号化フォーマットを確定するステップを更に含むことを特徴とする請求項３５に記載の無線表示方法。
【請求項３７】
前記ホストが、接続確立のプロセスにおいて前記表示装置から伝送された信号の強さ及びパケットロス率の結果に基づいて、前記ホストと前記表示装置との距離及び干渉を計算することによって、無線信号の発信電力を調整するステップを更に含むことを特徴とする請求項３６に記載の無線表示方法。
【請求項３８】
前記表示装置が、検知メッセージの完全性チェックコードを検出して、リンクレイヤーパラメータ及び物理レイヤーパラメータを配置するステップを更に含むことを特徴とする請求項３５に記載の無線表示方法。
【請求項３９】
ホスト側データ通信手段であって、
ホストのハードウェアから表示データを少なくとも含むメディアデータを取得するデータ採取部と、
データメッセージの形で前記メディアデータを送信するホスト側無線通信部と、を備えることを特徴とするホスト側データ通信手段。
【請求項４０】
前記ホスト側無線通信部が、
取得されたメディアデータをネットワーク転送プロトコルに従って相応するデータメッセージにパッキングするデータプロトコルパッキングユニットと、
ＵＷＢ無線によって前記データメッセージを送信する第１のＵＷＢ送受信ユニットと、
前記第１のＵＷＢ送受信ユニットを制御して認証及び鍵合意の動作を行う第１の制御ユニットと、を備えることを特徴とする請求項３９に記載のホスト側データ通信手段。
【請求項４１】
表示装置側データ通信手段であって、
無線方式によって送信されたデータメッセージを受信し、相応するプロトコルに従い解析してメディアデータにする表示装置側無線通信部と、
前記メディアデータを少なくとも表示装置に伝送するデータ出力部と、を備えることを特徴とする表示装置側データ通信手段。
【請求項４２】
前記表示装置側無線通信部が、
ＵＷＢ無線によってホストからのデータメッセージを受信する第２のＵＷＢ送受信ユニットと、
第２のＵＷＢ送受信ユニットを制御して認証及び鍵合意の動作を行う第２の制御ユニットと、
第２のＵＷＢ送受信ユニットで受信したデータメッセージをプロトコルに従いメディアデータにアンパッキングするデータプロトコルアンパッキングユニットと、を備えることを特徴とする請求項４１に記載の表示装置側データ通信手段。
【請求項４３】
無線表示システムであって、
ホストからのビデオ情報又はオーディオ情報のデータをブロックに分割し、ブロックに分割されたデータを各ホスト側データ通信手段に割り当てるスケジューリングユニットと、
ブロックに分割されたデータを無線信号の形で送信する複数の請求項３９に記載したホスト側データ通信手段と、
前記の複数のホスト側データ通信手段からの無線信号を受信し、前記無線信号を相応するデータブロックに復号化する請求項４１に記載した複数の表示装置側データ通信手段と、
相応するデータブロックを併合してビデオ信号又はオーディオ信号を生成する併合ユニットと、を備えることを特徴とする無線表示システム。
【発明の詳細な説明】
【技術分野】
【０００１】
本発明は、無線表示技術に関し、特に無線表示システム及びその方法、並びに使用される無線データ通信装置に関する。
【背景技術】
【０００２】
従来の無線表示技術は、主に画面キャプチャ技術を基盤としている。画面キャプチャ技術は、表示記憶ユニットに記憶されている内容を読み取り、現在の画面に表示されている内容をキャプチャする。そして、ＣＰＵがキャプチャした内容を圧縮アルゴリズムにより画面圧縮情報に圧縮してから、無線ネットワークプロトコルによって当該圧縮情報をリアルタイムに表示装置に伝送する。表示装置側は、専用の組込み型コンピュータモジュールによってプロトコル解析を行い、画面圧縮情報を復元し、含まれている画素情報を表示装置に提供して表示させる。
【０００３】
しかしながら、従来のキャプチャ技術は下記の欠陥がある。１．占用している計算資源が大きい。これは、キャプチャ方式において、ＣＰＵが２つの作業を同時に実行する必要があるからである。上記の作業の一つは、オーディオ・ビデオコンテンツを再生するようにリアルタイムに伸張すると言うことであり、もう一つは、CPUが画面キャプチャプログラムを実行して、グラフィックスカードから表示データを取得して圧縮し、無線ネットワークカードによって無線表示装置に伝送すると言うことである。上記の二つの作業は、ＣＰＵ資源が過度に占用されて、ＣＰＵの処理速度に影響を与え、高品質画像のリアルタイム表示ができなくなる。２．コストが高い。画面キャプチャ方式を採用するには、符号化・復号化を行うためにホスト側と表示装置側とのいずれにも計算能力の高いＣＰＵが必要であるので、コストが高い。
【０００４】
上記の問題に鑑みて、新型の無線表示メカニズムを提供して上記の問題を解決する必要がある。
【発明の開示】
【発明が解決しようとする課題】
【０００５】
上記の欠陥に対して、本発明が解決している技術課題は、無線表示機能をよりよく完成でき、且つコストが低くて、ＣＰＵ資源を少し占用又は占用しない無線表示装置を提供することにある。
【課題を解決するための手段】
【０００６】
本発明の一側面によると、無線表示システムであって、ホストに接続され、前記ホストのハードウェアから表示データを少なくとも含むメディアデータを取得し、データメッセージを生成して無線方式によって伝送するホスト側データ通信手段と、無線方式によって伝送された当該データメッセージを受信し、解析してメディアデータにした後で、少なくとも表示装置に送信する表示装置側データ通信手段と、を備える無線表示システムを提供する。
【０００７】
好ましくは、前記ホスト側データ通信手段が、前記ホストのハードウェアから前記メディアデータを取得するデータ採取部と、データメッセージの形で前記メディアデータを送信するホスト側無線通信部とを備える。
【０００８】
好ましくは、前記ホスト側無線通信部が、前記データ採取手段が取得したメディアデータをネットワーク転送プロトコルに従って相応するデータメッセージにパッキングするデータプロトコルパッキングユニットと、ＵＷＢ無線によって前記データメッセージを送信するＵＷＢ送受信ユニットと、ＵＷＢ送受信ユニットを制御して認証及び鍵合意の動作を行う制御ユニットと、を備える。
【０００９】
好ましくは、前記データ採取部が、Ａ／Ｄ変換器を備える。
【００１０】
好ましくは、前記データプロトコルパッキングユニットが、ＡＤＣ  ｃｏｎｔｒｏｌユニットを備える。
【００１１】
好ましくは、前記制御ユニットが、ＨＳＤＩ  Ｃｏｎｔｒｏｌユニットを備える。
【００１２】
好ましくは、前記ホスト側データ通信手段が、前記ホストのグラフィックスカードに外部から挿し込まれるか、又はグラフィックコントローラの出力インタフェースに直接接続され、前記グラフィックスカードの出力から表示データを直接に取得する。
【００１３】
好ましくは、前記ホスト側データ通信手段が、前記データ採取部で取得された表示データを圧縮して前記データプロトコルパッキングユニットに伝送するデータ圧縮部を更に備える。
【００１４】
好ましくは、前記ホスト側データ通信手段と前記表示装置側データ通信手段との通信プロトコルが、ＴＣＰ／ＩＰ，無線ＵＳＢ，無線１３９４，ＤＶＩ／ＨＳＤＩプロトコル、又は予め定義した他の転送プロトコルを採用している。
【００１５】
好ましくは、前記データ採取部が、表示情報を受信して、画素情報及び表示制御信号に変換する画像処理器と、音声情報を受信して、オーディオ信号に変換するオーディオ処理ユニットとを備える。
【００１６】
好ましくは、前記ホスト側無線通信部が、前記ホストと前記表示装置との無線接続を確立する検知・接続ユニットと、通信品質を制御する通信制御ユニットと、ビデオ画素情報及び制御信号又はオーディオ信号をメッセージ符号化するコーデックユニットと、符号化されたメッセージを受信し、更に無線信号に符号化・変調して送信するＵＷＢ送受信ユニットと、を備える。
【００１７】
好ましくは、前記通信制御ユニットが、検知応答メッセージで伝送された表示装置のパラメータを受信し、前記パラメータ及びユーザによって設定された表示パラメータに基づいて転送パラメータ及びメッセージ符号化フォーマットを確定し、前記ＵＷＢ送受信ユニットで当該転送パラメータ及びメッセージ符号化フォーマットを送信する。
【００１８】
好ましくは、前記通信制御ユニットが、前記表示装置から伝送された信号の強さ及びパケットロス率の結果を検知して、前記ホストと前記表示装置との距離及び干渉を計算し、これに基づき前記ＵＷＢ送受信ユニットの発信電力を調整する。
【００１９】
好ましくは、前記コーデックユニットによって符号化されたメッセージが、少なくとも（１）表示装置識別子情報と、（２）メッセージタイプ情報と、（３）メッセージ長さ情報と、（４）ビデオメッセージデータ又はオーディオメッセージデータとを含む。
【００２０】
好ましくは、前記ビデオメッセージデータが、少なくとも（１）フィールド同期情報と、（２）ライン同期情報と、（３）画素ユニット識別子と、（４）画素データとを含む。
【００２１】
好ましくは、前記ビデオメッセージデータにおける各種の情報の配置順番が、フィールド同期情報の後に、引き続いて１フィールド内の全てのラインに含まれる画素情報を配置し、ライン同期情報の後に、引き続いて１ライン内に含まれる全ての画素情報を配置する。
【００２２】
好ましくは、前記表示装置側データ通信手段が、無線方式によって送信されたデータメッセージを受信し、相応するプロトコルに従い解析してメディアデータにする表示装置側無線通信部と、前記メディアデータを少なくとも前記表示装置に伝送するデータ出力部と、を備える。
【００２３】
好ましくは、前記表示装置側無線通信部が、ＵＷＢ無線によって前記ホストからのデータメッセージを受信するＵＷＢ送受信ユニットと、前記ＵＷＢ送受信ユニットを制御して認証及び鍵合意の動作を行う制御ユニットと、前記ＵＷＢ送受信ユニットで受信したデータメッセージを、プロトコルに従いメディアデータにアンパッキングするデータプロトコルアンパッキングユニットと、を備える。
【００２４】
好ましくは、前記データプロトコルアンパッキングユニットが、ＨＳＤＩ  Ｃｏｎｔｒｏｌユニットである。
【００２５】
好ましくは、前記データ出力部が、ＶＧＡ  ＤＭＡユニットと、ＶＧＡ  Ｃｏｎｔｒｏｌユニットと、ＶＧＡ  Ｔｉｍｉｎｇユニットとを備える。
【００２６】
好ましくは、前記データプロトコルアンパッキングユニットが、組込み型プロセスチップである。
【００２７】
好ましくは、前記データ出力部がＧＰＵである。
【００２８】
好ましくは、前記表示側データ通信手段が、前記表示装置に外部から挿し込まれるか、又は前記表示装置と一体化されている。
【００２９】
好ましくは、前記表示装置側データ通信手段が、送信されてきたフレーム画素データをそのまま利用して高速リフレッシュ処理を行う。
【００３０】
好ましくは、前記表示装置側データ通信手段が、データプロトコルアンパッキングユニットがアンパックした表示データを伸張してデータ出力ユニットに伝送するデータ伸張ユニットを更に備える。
【００３１】
好ましくは、前記表示装置側無線通信部が、前記ホストから送信された無線信号を受信して復号化するＵＷＢ送受信ユニットと、復号化した信号を受信し、更に画素情報、制御情報又はオーディオ情報に復号化するコーデックユニットと、通信品質を制御する通信制御ユニットと、前記ホストと前記表示装置との無線接続を確立する検知・接続ユニットと、を備える。
【００３２】
好ましくは、前記通信制御ユニットが、ライン及びフィールドのパラメータを確定するための表示装置のパラメータを制御信号から取得する。
【００３３】
好ましくは、前記データ出力部が、画素情報及び表示制御信号を受信し、前記情報に基づいて前記表示装置を駆動する表示コントローラと、復号化したオーディオ信号を受信し、スピーカを駆動する駆動信号を発生するオーディオ出力ユニットと、を備える。
【００３４】
本発明の他の側面によると、無線表示方法であって、ホスト側でホストのハードウェアから表示データを少なくとも含むメディアデータを取得し、データメッセージを生成して無線方式によって送信する送信ステップと、表示装置側で無線方式によって伝送された当該データメッセージを受信し、解析してメディアデータにして表示装置に出力する受信ステップと、を含む無線表示方法を提供する。
【００３５】
好ましくは、前記送信ステップに、前記ホストから前記メディアデータを取得するステップと、データメッセージの形で前記メディアデータを送信するステップと、を含む。
【００３６】
好ましくは、前記のデータメッセージの形で前記メディアデータを送信するステップに、取得したメディアデータをネットワーク転送プロトコルに従い相応するデータメッセージにパッキングするステップと、ＵＷＢ無線によって前記データメッセージを送信するステップと、を含む。
【００３７】
好ましくは、前記受信ステップに、無線方式によって送信されたデータメッセージを受信し、相応するプロトコルに従い解析してメディアデータにするステップと、前記メディアデータを少なくとも前記表示装置に伝送するステップと、を含む。
【００３８】
好ましくは、前記の無線方式によって送信されたデータメッセージを受信し、相応するプロトコルに従い解析してメディアデータにするステップに、ＵＷＢ無線によって前記ホストからのデータメッセージを受信するステップと、受信したデータメッセージをプロトコルに従いメディアデータにアンパッキングするステップと、を含む。
【００３９】
好ましくは、送信ステップの前に、前記ホストと前記表示装置との接続を確立するステップを更に含む。
【００４０】
好ましくは、前記の接続を確立するステップに、前記ホストから表示装置の識別子情報を含む検知メッセージを前記表示装置側へ送信するステップと、前記表示装置が前記検知メッセージを受信し、前記検知メッセージ中の識別子情報を自身の識別子情報と比較するステップと、前記検知メッセージ中の識別子情報が表示装置自身の識別子情報と一致した場合、表示装置の技術パラメータ及び機種番号を含む検知応答メッセージを前記表示装置からホストへ送信するステップと、ホストが前記検知応答メッセージを受信し、接続を確立するステップと、を含む。
【００４１】
好ましくは、前記ホストが、前記表示装置の技術パラメータ及び機種番号に基づいて、前記表示装置へ送信されるデータメッセージの符号化フォーマットを確定するステップを更に含む。
【００４２】
好ましくは、前記ホストが、接続確立のプロセスにおいて前記表示装置から伝送された信号の強さ及びパケットロス率の結果に基づいて、前記ホストと前記表示装置との距離及び干渉を計算することによって、無線信号の発信電力を調整するステップを更に含む。
【００４３】
好ましくは、前記表示装置が、検知メッセージの完全性チェックコードを検出して、リンクレイヤーパラメータ及び物理レイヤーパラメータを配置するステップを更に含む。
【００４４】
本発明の他の側面によると、ホスト側データ通信手段であって、ホストのハードウェアから表示データを少なくとも含むメディアデータを取得するデータ採取部と、データメッセージの形で前記メディアデータを送信するホスト側無線通信部とを備えるホスト側データ通信手段を提供する。
【００４５】
好ましくは、前記ホスト側無線通信部が、取得されたメディアデータをネットワーク転送プロトコルに従って相応するデータメッセージにパッキングするデータプロトコルパッキングユニットと、前記ホスト側無線通信部が、ＵＷＢ無線によって前記データメッセージを送信する第１のＵＷＢ送受信ユニットと、前記第１のＵＷＢ送受信ユニットを制御して認証及び鍵合意の動作を行う第１の制御ユニットとを備える。
【００４６】
本発明の他の側面によると、表示装置側データ通信手段であって、無線方式によって送信されたデータメッセージを受信し、相応するプロトコルに従い解析してメディアデータにする表示装置側無線通信部と、前記メディアデータを少なくとも表示装置に伝送するデータ出力部と、を備える表示装置側データ通信手段を提供する。
【００４７】
好ましくは、前記表示装置側データ通信手段が、ＵＷＢ無線によってホストからのデータメッセージを受信する第２のＵＷＢ送受信ユニットと、第２のＵＷＢ送受信ユニットを制御して認証及び鍵合意の動作を行う第２の制御ユニットと、第２のＵＷＢ送受信ユニットで受信したデータメッセージをプロトコルに従いメディアデータにアンパッキングするデータプロトコルアンパッキングユニットとを備える。
【００４８】
本発明の更なる他の側面によると、無線表示システムであって、ホストからのビデオ情報又はオーディオ情報のデータをブロックに分割し、ブロックに分割されたデータを各ホスト側データ通信手段に割り当てるスケジューリングユニットと、ブロックに分割されたデータを無線信号の形で送信する複数の前記ホスト側データ通信手段と、前記の複数のホスト側データ通信手段からの無線信号を受信し、前記無線信号を相応するデータブロックに復号化する複数の前記表示装置側データ通信手段と、相応するデータブロックを併合してビデオ信号又はオーディオ信号を生成する併合ユニットと、を備える。
【発明の効果】
【００４９】
従来の技術と比べて、本発明は下記の利点を有する。ホスト側表示アダプタや表示チップによって発生した画素情報及び表示制御信号を用いて無線転送を行うので、コンピュータＣＰＵが画面キャプチャプログラムを実行して表示記憶ユニットから表示情報を取得しなくて済み、ＣＰＵの負荷を減少させる。
【発明を実施するための最良の形態】
【００５０】
以下、本発明の具体的実施形態について図面を合わせて説明する。
【００５１】
図１は、本発明の第１の実施形態に係る無線表示システムの原理図である。図１に示すように、本実施形態に係る無線表示システムは、ホスト８００と、ホスト側データ通信手段１００と、表示装置側データ通信手段２００と、表示装置９００とを備える。ホスト側データ通信手段１００は、ホストのハードウェア装置から表示に関する情報を採取するデータ採取部１１０と、表示に関する情報をＵＷＢの方式によって送信するホスト側ＵＷＢ通信部１２０とを備える。表示装置側データ通信手段２００は、ＵＷＢ方式によって表示に関する情報を受信する表示装置側ＵＷＢ通信部２２０と、表示に関する情報を表示装置９００に出力するデータ出力部２１０とを備える。
【００５２】
図２は、本発明の第１の実施形態に係る無線表示システムの詳しいブロック図である。図２に示すように、ホスト側ＵＷＢ通信部１２０は、データプロトコルパッキングユニット１２１と、第１のＵＷＢ（Ｕｌｔｒａ  Ｗｉｄｅｂａｎｄ、超広帯域）送受信ユニット１２２と、第１の制御ユニット１２３とを備える。表示装置側ＵＷＢ通信部２２０は、第２のＵＷＢ送受信ユニット２２２と、第２の制御ユニット２２３と、データプロトコルアンパッキングユニット２２１とを備える。
【００５３】
当該ホスト８００は、各種のコンピュータ本体、例えば、ＰＣホスト、サーバホスト、ノートブック型コンピュータ、携帯電話のようなハンドセット、ＰＤＡ、セットトップボックスＳＴＢ、ビデオ圧縮コンパクトディスクＶＣＤ再生装置、データビデオディスクＤＶＤ再生装置、パーソナルテレビレコーダＰＶＲ等であってもよい。当該表示装置９００は、各種の表示装置、例えば、コンピュータのディスプレイ（ＬＣＤ，ＣＲＴなど）、プロジェクタ、TVなどであってもよく、ここで説明を省略する。
【００５４】
当該ホスト側データ通信手段１００において、データ採取部１１０がホスト８００のグラフィックスカードのようなハードウェアから表示に関するデータを取得する。
【００５５】
データプロトコルパッキングユニット１２１は、データ採取ユニット１１０が取得した表示に関するデータを、所定の通信プロトコルに従い相応するデータメッセージになるようにパッキングする。
【００５６】
第１のＵＷＢ送受信ユニット１２２は、ＵＷＢの方式によってデータメッセージを表示装置側データ通信手段２００に送信する。
【００５７】
また、第１の制御ユニット１２３は、第１のＵＷＢ送受信ユニット１２２を制御し、ホスト側と表示装置側との間の認証及び鍵合意等の動作を行う。
【００５８】
表示装置側データ通信手段２００において、第２のＵＷＢ送受信ユニット２２２がＵＷＢの方式によってホスト側データ通信手段１００からのデータメッセージを受信する。
【００５９】
第２の制御ユニット２２３は、第２のＵＷＢ送受信ユニット２２２を制御し、ホスト側と表示装置側との間の認証及び鍵合意等の動作を行う。
【００６０】
データプロトコルアンパッキングユニット２２１は、第２のＵＷＢ送受信ユニット２２２が受信したデータメッセージを、所定の通信プロトコルに従い画面データに復号化する。
【００６１】
データ出力部２１０は、上記の画面データを表示装置９００に伝送して出力させる。
【００６２】
ホスト側データ通信手段１００と表示装置側データ通信手段２００との間の通信プロトコルには、ＴＣＰ／ＩＰ，無線ＵＳＢ，無線１３９４，ＤＶＩ／ＨＳＤＩ等のプロトコルを採用してもよく、予め規定した他の転送プロトコルを採用しても良いことは当然である。
【００６３】
本発明の一実施例によると、ＵＷＢを採用して画素デジタル信号を伝送し、転送するフレーム率は最も極端的な場合にビデオ再生のフレーム率となり、少なくとも２５フレームである。
【００６４】
しかしながら、画素データの受信側でのリアルタイム表示を実現するため、本発明の他の実施例によると、表示装置側データ通信手段２００は簡単な表示制御（即ち、グラフィックスカード機能）メカニズムを有し、転送されてきた２５フレーム画素データをそのまま用いて高速リフレッシュ処理（例えば、８５フレーム／秒のリフレッシュ）を行う。
【００６５】
図３は、図２に示すホスト側データ通信手段の実施例の模式図である。
【００６６】
図３に示すホスト側データ通信手段１００は、ホストのグラフィックスカードのＶＧＡインタフェースに外接され、ＦＰＧＡ方式によって実現される。
【００６７】
表示データの採取は、Ａ／Ｄ変換器（例えば、ＡＤ９９８５ユニット１１１及びＡＤＣ  ｃｏｎｔｒｏｌユニット１１２）によって完成される。
【００６８】
データ圧縮及びデータプロトコルパッキングは、ＡＤＣ  ｃｏｎｔｒｏｌユニット１１２によって完成される。
【００６９】
データの圧縮及びプロトコルパッキングは、ＡＤＣ  ｃｏｎｔｒｏｌユニット１１２によって完成される。データの転送を減少させるため、採取したデータに対して、まず圧縮を、次にプロトコルパッキングを行う。
【００７０】
Ｓｔａｔｅ  Ｍａｃｈｉｎｅユニット１６０は、全体的制御及びタイミング整合を行う。
【００７１】
ＵＷＢ送受信機１２２’は、ＨＳＤＩ  Ｃｏｎｔｒｏｌユニット１２３’の制御によってデータメッセージの外部への転送を実現する。
【００７２】
本発明の一実施例によると、表示装置側データ通信手段２００は、組込み型構造に基づいて組込み型ＣＰＵを核心として実現されてもよく、ＦＰＧＡハードウェア方式によって実現されても良い。
【００７３】
図４は、図２に示す表示装置側データ通信手段の一実施例の模式図である。図４に示すように、当該実施例は、ＦＰＧＡの単純なハードウェアの方式によって表示装置側データ通信手段２００を実現している。
【００７４】
当該実施例では、ＨＳＤＩ  Ｃｏｎｔｒｏｌユニット２２１’によってＵＷＢ送受信機２２２’からのデータを処理して、データプロトコルアンパッキング及びデータ伸張（データが圧縮された場合）を実現する。データは、ＨＳＤＩ（Ｈｉｇｈ  Ｓｐｅｅｄ  Ｄｉｆｆｅｒｅｎｔｉａｌ  Ｉｎｔｅｒｆａｃｅ）インタフェース（図示せず）を介してＵＷＢ送受信機２２２’からＨＳＤＩ  Ｃｏｎｔｒｏｌユニット２２１’に入力される。
【００７５】
データ出力部２１０の表示出力機能は、ＶＧＡ  ＤＭＡユニット２１１、ＶＧＡ  Ｃｏｎｔｒｏｌユニット２１２及びＶＧＡ  Ｔｉｍｉｎｇユニット２１３によって共同で実現される。
【００７６】
即ち、ＶＧＡ  ＤＭＡユニット２１１、ＶＧＡ  Ｃｏｎｔｒｏｌユニット２１２及びＶＧＡ  Ｔｉｍｉｎｇユニット２１３の機能は、表示受信バッファ２３０（例えば、ＭＴ４６ｖ１６Ｍ１６−６Ｔ）からフレームデータを抽出してフレーム化を行って、Ｄ／Ａ変換器２４０（例えば、ＡＤＶ７１２５）に伝送して変換し、表示装置９００に出力する。
【００７７】
ＶＧＡ  ＤＭＡユニット２１１は、ＤＤＲ中の画面データをＤＤＲからＤＭＡ方式によって取り出す。ＶＧＡ  Ｃｏｎｔｒｏｌユニット２１２は、各種のＶＧＡフィールドなどの読み書きタイミングを制御する。ＶＧＡ  Ｔｉｍｉｎｇユニット２１３は、ＶＧＡフィールド情報の各種のタイミングを生成する。
【００７８】
図５は、図２に示す表示装置側データ通信手段の他の実施例の模式図である。図５に示すように、当該実施例は、組込み型システムの方式によって表示装置側データ通信手段２００を実現する。
【００７９】
当該実施例において、ＩＸＰ４２５チップ２２１’はＵＷＢ送受信機２２２’からのデータを処理し、データメッセージのネットワークレイヤー／転送レイヤー及びアプリケーションレイヤーにおけるプロトコルの解析を完成する。
【００８０】
ＧＰＵユニット（グラフィック処理器）２１０’は、画面データの表示出力の機能を完成し、図４のＶＧＡ  ＤＭＡユニット、ＶＧＡ  Ｃｏｎｔｒｏｌユニット及びＶＧＡ  Ｔｉｍｉｎｇユニットと類似な機能を果たす。レンダリングがホスト側によって既に完成されたので、ＧＰＵ２１０’は簡単な表示制御機能のみを完成すればよい。
【００８１】
以下、図５に示す実施例の場合の表示装置側データ通信手段の動作フローについて、図６を対照して詳しく説明する。
【００８２】
ステップＳ６１０において、システムパラメータ、例えば、サポート可能な表示解像度、収容できるクライアントである表示装置の最大数を初期化する。
【００８３】
ステップＳ６２０において、ｍｓｇキューを初期化して、他のクライアントとのスレッド通信を確立する。
【００８４】
ステップＳ６３０において、ネットワークの設定を行う。具体的には、相応するＩＰアドレス及びポートを設定し、収用できるクライアントの最大数に応じてネットワークの最大接続数を設定する。
【００８５】
ステップＳ６４０において、表示及び制御のＳｏｃｋｅｔｓを初期化して送信側との通信を確立する。即ち、上記のネットワーク設定に基づいて、表示及び制御のＳｏｃｋｅｔｓを起動してリスニング状態になるようにする。
【００８６】
ステップＳ６５０において、ビデオメモリを初期化し、ＦｒａｍｅＢｕｆｆｅｒマッピングを行うことによって、送信側から当該クライアントのデータを受信する前に、システムパラメータに基づいて、ビデオメモリに対し相応する調整を行う。
【００８７】
ステップＳ６６０において、メインループに入る。当該メインループは、下記のステップを含む。
【００８８】
ステップＳ６６１において、クライアント側がＳｏｃｋｅｔを制御して送信側との接続を確立した後で、送信側は表示Ｓｏｃｋｅｔによって、クライアント側から送信したフレーム画素データを含むデータパケットを取得する。
【００８９】
ステップＳ６６２において、送信側は相応するプロトコルに従い、受信したデータパケットを復号化して、画像データを取得する。
【００９０】
ステップＳ６６３において、データ通信手段のＦｒａｍｅＢｕｆｆｅｒに書き込む。最後、送信側は画像データをＦｒａｍｅＢｕｆｆｅｒの中の相応する位置に書き込み、最終の表示を完成する。
【００９１】
本発明の一実施例によると、表示装置側データ通信手段２００は、表示装置９００に外部から挿し込まれる形として設計されてもよいが、例えば、表示装置９００のＶＧＡ／ＤＶＩインタフェースに外部から挿し込まれる。しかしながら、表示装置側データ通信手段２００を表示装置９００と一体化してもよいが、ここで説明を省略する。
【００９２】
図７は、本発明の第１の実施形態に係る無線表示システムの一変形例のブロック図である。
【００９３】
当該変形例は第１の実施形態と殆ど同じであるが、異なる点は、ホスト側データ通信手段１００に、データ採取部１１０で取得された表示データを圧縮してデータプロトコルパッキングユニット１２１に伝送するデータ圧縮ユニット１５０が設置されていることである。これに対し、表示装置側データ通信手段２００には、データプロトコルアンパッキングユニット２２１でアンパックした画面データを伸張してデータ出力部２１０に伝送するデータ伸張ユニット２５０が設置されている。
【００９４】
図８は本発明の第２の実施形態を説明し、ホストが無線ネットワークを介して表示装置への表示を実現する信号転送プロセスを示す。第２の実施形態に係る無線表示システムは、表示データをホスト８００から表示装置９００に伝送して表示するだけでなく、更にオーディオ情報を表示装置と一体化したスピーカ７００にリアルタイムに送信する。
【００９５】
図８に示すように、コンピュータ又は電子機器などのようなホスト８００の表示情報及びオーディオ情報は、無線ネットワークメッセージに変換され、無線ネットワークを介して表示装置９００及びスピーカ７００に伝送され、表示装置側で受信した無線ネットワークメッセージを復号化し、最終、画素情報及び表示制御信号を生成して、相応する情報を表示するようにディスプレイを駆動し、且つ、オーディオデジタル信号を生成して、音声を出すようにスピーカを駆動する。
【００９６】
図８に示すように、ホスト８００は、表示すべき表示情報を画像処理器１１３に伝送する。画像処理器１１３は、当該画像情報から相応する画素情報及び表示制御情報（例えば、フィールド信号、ライン信号）を発生する。画素情報及び表示制御信号は、メッセージ処理ユニット１２４に伝送され、メッセージ処理ユニット１２４で処理された後、リンクレイヤー１２５に伝送されて、更に、メッセージ符号化される。リンクレイヤー１２５で符号化されたメッセージは、物理レイヤー１２６に伝送されて符号化された後、信号変調されて無線信号となり、最後に無線ネットワークを介して発信される。図８において、無線ネットワークとして超広帯域無線ネットワークＵＷＢを採用し、信号は無線周波数ＲＦ方式によって発信される。
【００９７】
音声情報が表示装置側のスピーカ７００を介して音声再生を行う必要がある時、ホスト８００は、音声情報をオーディオ処理ユニット１１４に伝送し、オーディオ処理ユニット１１４によってオーディオデジタル信号を形成して、メッセージ処理ユニット１２４に伝送し、ビデオ信号と同じ方式によってメッセージ符号化を行い、最終に物理レイヤー１２６を介して送信される。オーディオ信号とビデオ信号とを区別するため、メッセージ符号化の時に識別子情報を組み込んでもよい。
【００９８】
ホスト８００と、対応する表示装置９００とが互いに識別可能になって情報の伝送誤りを避けるために、表示装置９００は識別子情報を有し、当該識別子情報は特定のコードや鍵情報であっても良い。ホスト８００が表示装置識別子情報をメッセージ処理ユニット１２４に伝送することで、メッセージ処理ユニット１２４は当該表示装置識別子情報に基づき検知メッセージを符号化して送信し、表示装置の検知応答メッセージに応じて、表示装置９００との接続を実現する。
【００９９】
表示装置側の処理プロセスは、ホスト側の処理プロセスと逆のプロセスであって、表示情報を表示装置９００の画面に表示し、音声情報をスピーカ７００によって再生する。
【０１００】
図８に示すように、表示装置側の物理レイヤー２２６（図面では、超広帯域無線ネットワークＵＷＢを例とする）は、コンピュータ又は電子機器側から送信された無線信号を受信する。当該物理レイヤー２２６は上記無線信号を受信し、信号は復調化及び復号化された後、リンクレイヤー２２５に伝送される。リンクレイヤー２２５は、受信した信号をメッセージ復号化した後で、メッセージ処理ユニット２２４に伝送して復号化する。当該メッセージは、復号化された後に画素情報及び表示制御信号になり、表示コントローラ２１４に伝送され、表示コントローラ２１４で画素情報及び表示制御信号に基づいて表示装置９００を駆動して、相応する内容を表示する。上記メッセージが同時に音声情報も伝送する場合、当該メッセージ処理ユニット２２４は、メッセージ中の音声情報をオーディオデジタル信号に変換してオーディオ電力増幅及びＤＡ変換ユニット２１５に伝送し、当該ユニットでスピーカ７００を駆動して音声を出す。
【０１０１】
上記のように、表示装置９００とホスト８００に対する識別を実現するため、メッセージ処理ユニット２２４は表示装置識別子情報を有し、当該メッセージ処理ユニット２２４は、当該表示装置識別子情報を受信したメッセージに含まれた表示装置識別子情報と比較することができ、両方が一致した場合、受信したメッセージが対応するホストから送信されたものであると判断し、当該メッセージを処理する。
【０１０２】
図９は、本発明の第２の実施形態に係る無線表示システムの詳しい構成ブロック図である。
【０１０３】
図９に示すように、当該無線表示システムは、ホスト（図示せず）と、ホスト側データ通信手段１００と、表示装置９００と、スピーカ７００と、表示装置側データ通信手段２００とを備える。
【０１０４】
ホスト側データ通信手段１００は、周辺機器を相互接続するバス（ＰＣＩ）から伝送された表示情報データを受信し、無線表示信号に変換して外部へ発信する。
【０１０５】
表示装置側データ通信手段２００は、上記の無線表示信号を受信し、当該信号に基づいて表示装置９００を駆動して相応する内容を表示させる。
【０１０６】
ホスト側データ通信手段１００は、表示アダプタ１１３’と、オーディオ処理ユニット１１４と、ホスト側ＵＷＢ通信部１２０とを備える。当該ホスト側データ通信手段１００は、従来の表示アダプタを基盤としてオーディオ処理ユニット１１４とホスト側ＵＷＢ通信部１２０とを集積してなるものである。
【０１０７】
表示アダプタ１１３’は、画像処理ユニット（ＧＰＵ）１１３１と、ビデオメモリ（ＶＲＡＭ）１１３２と、画像コントローラ１１３３とを備える。
【０１０８】
画像処理ユニット１１３１は、ＰＣＩバスを介して伝送された画像情報を受信して分析処理を行い、画素情報を形成する。
【０１０９】
ビデオメモリ１１３２は、画素処理ユニット１１３１から伝送された画素情報を受信し、所定のフォーマットに記憶する。
【０１１０】
画像コントローラ１１３３は、ビデオメモリ１１３２に記憶された画素情報を読み取り、フィールド信号、ライン信号などを含む制御信号を組込んで、上記信号を出力する。
【０１１１】
オーディオ処理ユニット１１４は、ＰＣＩバスを介して伝送された音声信号を受信し、それをオーディオ信号に変換して出力する。
【０１１２】
ホスト側ＵＷＢ通信部１２０は、表示アダプタ１１３’から出力した画素情報及び制御信号、並びにオーディオ処理ユニット１１４から出力したオーディオ信号を受信し、それを無線信号に変換して出力する。
【０１１３】
ホスト側ＵＷＢ通信部１２０は、検知・接続ユニット１２４１と、通信制御ユニット１２４２と、オーディオ・ビデオメッセージコーデックユニット１２４３と、リンクレイヤー１２５と、物理レイヤー１２６とを備える。
【０１１４】
表示装置側データ通信手段２００は、表示装置側ＵＷＢ通信部２２０と、表示コントローラ２１４と、ＤＡ変換及びオーディオ電力増幅ユニット２１５とを備える。
【０１１５】
表示装置側ＵＷＢ通信部２２０は、検知・接続ユニット２２４１と、通信制御ユニット２２４２と、オーディオ・ビデオメッセージコーデックユニット２２４３と、リンクレイヤー２２５と、物理レイヤー２２６とを備える。
【０１１６】
検知・接続ユニット１２４１は、ホスト８００と表示装置９００との無線接続を確立する。検知・接続ユニット１２４１は、まず表示装置９００の存在を検知し、表示装置９００の技術パラメータを取得して、最終にホスト８００と表示装置９００との無線接続を確立する。
【０１１７】
図１０は、検知・接続ユニット１２４１における検知及び接続のフローを示すフローチャートである。
【０１１８】
ステップＳ１００１において、ホスト側の検知・接続ユニット１２４１は表示装置の識別子情報を取得する。表示装置識別子情報は特定のコード又は鍵情報であり、ホストとマッチングする表示装置を表すものである。当該表示装置識別子情報は、予めホスト側の表示装置側の検知・接続ユニット１２４１に配置され、当該検知・接続ユニット１２４１の動作が始めると当該情報を取得できる。
【０１１９】
ステップＳ１００２において、ホスト側の検知・接続ユニット１２４１は、表示装置識別子情報を含む検知メッセージを符号化して、リンクレイヤー１２５に伝送し、リンクレイヤー１２５で適当な形式に変換して物理レイヤー１２６に伝送し、最終に物理レイヤー１２６で超広帯域無線ネットワーク（ＵＷＢ）を介して送信する。
【０１２０】
ステップＳ１００３において、表示装置は、物理レイヤー２２６を介して上記の検知メッセージを受信した後で、表示装置側のリンクレイヤー２２５に伝送して処理した後で、表示装置側の検知・接続ユニット２２４１に伝送する。
【０１２１】
ステップＳ１００４において、表示装置側の検知・接続ユニット２２４１は、受信した検知メッセージに含まれる識別子情報を受信し、当該識別子情報を自装置識別子情報と比較し、両方が一致した場合に次のステップに移行する。
【０１２２】
ステップＳ１００５において、表示装置側の検知・接続ユニット２２４１は、表示装置の技術パラメータ、機種番号を含む検知応答メッセージを符号化して生成し、表示装置側のリンクレイヤー２２５に伝送して更にメッセージ符号化し、表示装置側の物理レイヤー２２６に伝送し、超広帯域無線ネットワーク（ＵＷＢ）を介して送信する。
【０１２３】
ステップＳ１００６において、ホスト側の検知・接続ユニット１２４１は、上記ホスト側のリンクレイヤー１２５、物理レイヤー１２６を介して、上記検知応答メッセージを受信する。
【０１２４】
ステップＳ１００７において、ホスト側の検知・接続ユニット１２４１は、ＵＷＢを介して伝送された表示装置の検知応答メッセージを読み取り、当該メッセージに含まれた表示装置の技術パラメータ、機種番号などの表示装置のパラメータを取得し、正しい情報転送を行うために、表示装置のパラメータを表示アダプタ１１３’、通信制御ユニット１２４２及びメッセージコーデックユニット１２４３に提供する。
【０１２５】
通信制御ユニット１２４２は、下記の２つの作業を実行する。
（１）ユーザによって設定された現在の画像品質解像度、上記検知・接続ユニット１２４１で取得された表示装置機種番号及び画素サポートフォーマットに基づいて、帯域幅や速度などの転送パラメータを確定し、確定した転送パラメータをリンクレイヤー１２５に伝送することによって、物理レイヤー１２６の信号変調を制御する。同時に、表示装置の技術パラメータ、例えば、表示アダプタに表示装置の解像度、機種番号などのような表示装置のパラメータを伝送して、１ラインに含まれる画素数、１フィールドに含まれるライン数を確定させる。
（２）表示装置が発信した無線転送信号の強さ及びパケットロス率を検知し、当該検知結果に基づいてホスト側と表示装置側との距離や干渉を計算し、当該計算による値に基づいて、電力消費パラメータをリンクレイヤー１２５に送信することによって、物理レイヤー１２６の信号発信電力を調整する。信号の強さの検知方法として、パケットロス率やメッセージ伝送の完全性を検査してもよい。
【０１２６】
オーディオ・ビデオメッセージコーデックユニット１２４３は、オーディオデータのメッセージ、ビデオ画素情報及び制御信号のメッセージを符号化して、上記内容を伝送する。符号化したメッセージは、少なくとも下記の内容を含む。
（１）表示装置識別子情報：この情報は、表示装置に受信した無線転送情報が自身に送信されたものであると確認できるようにする；
（２）メッセージタイプ情報：この情報は、主にオーディオメッセージとビデオメッセージとを区別して、表示装置側で相応する処理を行うようにする。また、当該情報は、他のメッセージタイプを区別するために用いられても良い；
（３）メッセージ長さ情報；
（４）具体的なオーディオ・ビデオメッセージデータ；
（５）メッセージチェックコード。
【０１２７】
ビデオメッセージデータは、少なくとも下記の内容を含む。
（１）フィールド同期情報；
（２）ライン同期情報；
（３）画素ユニット識別子；
（４）画素データ。
【０１２８】
上記各種の情報の配置順番は、ライン同期情報の後に引き続いて１ライン内に含まれた全ての画素情報が配置されてもよく、フィールド同期情報の後に引き続いて１フィールド内の全てのラインに含まれる画素情報が配置されても良い。オーディオデータを含む場合、１フィールドの画素情報の直後に、当該フィールドに対応するオーディオ情報が配置されても良い。
【０１２９】
符号化したオーディオ・ビデオメッセージはリンクレイヤー１２５に伝送され、更に物理レイヤー１２６を介して変調・送信される。
【０１３０】
そして、物理レイヤー２２６は、ホストが超広帯域無線ネットワーク（ＵＷＢ）を介して送信された検知メッセージ及びオーディオ・ビデオメッセージを受信し、メッセージを復号化して出力する。当該物理レイヤー２２６は、表示装置側リンクレイヤーから送信された検知応答メッセージや他の応答メッセージを同時に受信して、符号化・変調した後で、無線周波数ＲＦ方式によって発信する。
【０１３１】
表示装置側リンクレイヤー２２５は、表示装置側物理レイヤー２２６から伝送された検知メッセージ及びオーディオ・ビデオメッセージを受信し、更に復号化して出力する。当該表示装置側リンクレイヤー２２５は、検知応答メッセージや他の応答メッセージを同時に受信し、更に符号化して表示装置側物理レイヤー１２６に伝送する。
【０１３２】
検知・接続ユニット２２４１は、ホスト側との接続を実現するために用いられる。当該検知・接続ユニット２２４１は、上記表示装置側リンクレイヤー２２５から伝送された検知信号を受信し、当該検知メッセージに含まれる識別子情報を当該表示装置の識別子情報と比較し、両方が一致した場合、検知応答メッセージを生成して、表示装置側リンクレイヤー２２５に伝送し、最終的に超広帯域無線ネットワーク（ＵＷＢ）を介して送信する。検知応答メッセージには、表示装置の技術パラメータ、機種番号を含む。
【０１３３】
通信制御ユニット２２４２は、検知メッセージの完全性のチェックコードを検出し、これに基づいてリンクレイヤー２２５と物理レイヤー２２６のパラメータを配置する。無線表示プロセスにおいて、オーディオ・ビデオ品質パラメータ及び送受信両方の信号強さに基づいて、リンクレイヤー及び物理レイヤーのパラメータを調整する。当該通信制御ユニットは、メッセージが正確か否かをメッセージ内容に基づいて検証することができ、正確であれば正確フラグを作成し、無線ネットワークを介して送信する。正確でなければ、再送フラグを作成し、無線ネットワークを介して送信する。
【０１３４】
オーディオ・ビデオメッセージコーデックユニット２２４３は、リンクレイヤー２２５からオーディオ・ビデオメッセージを受信し、当該メッセージに含まれたメッセージタイプ情報を読み取り、当該タイプ情報に基づいてメッセージタイプを判断する。ビデオメッセージであればメッセージを復号化し、生成された画素情報と、フィールド同期及びライン同期などの表示制御信号とを表示制御ユニット２１４に伝送する。オーディオメッセージであればオーディオメッセージを復号化し、生成されたオーディオデータをオーディオＤＡ変換及び電力増幅ユニット２１５に送信する。
【０１３５】
表示コントローラ２１４は、表示装置側ＵＷＢ通信部２２０から伝送された制御信号及び画素情報を受信し、それを適当な表示駆動信号に変換し、表示装置９００を駆動して表示させる。
【０１３６】
表示装置９００は、表示コントローラ２１４から送信された表示駆動信号を受信し、当該信号に基づいて表示する。
【０１３７】
ＤＡ変換及びオーディオ電力増幅ユニット２１５は、表示装置側ＵＷＢ通信部２２０から出力されたオーディオ信号を受信し、当該信号をデジタル信号からアナログ信号に変換してオーディオ電力増幅器の駆動に用い、更に、オーディオ電力増幅器はスピーカ７００を駆動して音声を出す。
【０１３８】
上記無線通信プロセスは、相応するデータ転送プロトコルに従って行われる。当該データ転送プロトコルは、無線表示を実現する目的及び無線通信装置の構成状況に基づいて作成される。
【０１３９】
データ転送プロトコルは、少なくとも、装置の発見及び検知、無線通信転送チャネルパラメータの調整、オーディオ・ビデオメッセージの伝送及び受信、チャネルサービス品質の処理のような処理プロセスを含む。その手順は図１１に示すようになる。
【０１４０】
ステップＳ１１０１において、ホスト側（送信側）は表示装置側（受信側）と接続を確立する。まず、ホスト側は、表示装置の特徴情報を含む検知メッセージを送信する。表示装置側は、当該検知メッセージを受信した後で、その中に含まれた表示装置特徴情報を自身の特徴情報と比較し、マッチングすれば検知応答メッセージをホスト側に送信する。ホスト側は、当該検知応答メッセージを受信した後、表示装置の存在を知って、次のステップに移行する。
【０１４１】
ステップＳ１１０２において、ホスト側は検知応答メッセージに含まれる表示装置技術パラメータ、機種番号などの表示装置のパラメータに基づいて転送パラメータを確定し、オーディオ・ビデオ品質パラメータと送受信両方の信号強さに従い、送受信両方はリンクレイヤー及び物理レイヤーの発信電力を調整し、表示装置側は検知メッセージの完全性のチェックコードに基づいてその無線ネットワークパラメータを配置する。
【０１４２】
まず、ホスト側検知・接続ユニット１２４１は、取得した検知応答メッセージに含まれる表示装置の技術パラメータ、機種番号などの情報を、ホスト側通信制御ユニット１２４２に伝送する。当該ユニットは、受信した表示装置技術パラメータ、機種番号などの情報、ユーザが設定した表示パラメータに基づいて転送パラメータを確定し、この転送パラメータをホスト側リンクレイヤー１２５に伝送する。ホスト側リンクレイヤー１２５は、この転送パラメータに基づいてホスト側―物理レイヤー１２６の信号変調を制御する。ホスト側検知・接続ユニット１２４１は、取得した検知応答メッセージに含まれる表示装置の技術パラメータ、機種番号などの表示装置のパラメータを、ホスト側メッセージコーデックユニット１２４３に伝送して、当該ユニットがこれに基づきメッセージの符号化フォーマットを確定する。ホスト側検知・接続ユニット１２４１は、更に上記表示装置のパラメータを表示アダプタ１１３’に伝送し、表示アダプタは上記表示装置のパラメータに基づいて、画素情報フォーマット、１ライン内に含まれる画素の数、及び１フィールド情報に含まれるラインの数を確定する。
【０１４３】
上記の表示装置を検知・発見するプロセスにおいて、伝送信号の品質を探知し、これに基づき上記発信電力、転送速度パラメータを調整することができる。上記ステップは、送受信両方の通信制御ユニットによって完成される。なお、ホスト側通信制御ユニット１２４２は、検知・発見プロセスにおける表示装置からの信号の強さとパケットロス率の結果に基づいて、ホスト側と表示装置側との距離及び干渉を計算し、これに基づき物理レイヤーの発信電力を調整する。そして、表示装置側通信制御ユニット２２４２は、検知メッセージの完全性のチェックコードを検出し、これに基づき表示装置側リンクレイヤー２２５のパラメータ及び表示装置側物理レイヤー２２６のパラメータを配置する。
【０１４４】
ステップＳ１１０３において、ホスト側は無線ネットワークを介して現在のオーディオ・ビデオメッセージを送信する。当該オーディオ・ビデオメッセージの形成プロセスは上記の通りである。
【０１４５】
ステップＳ１１０４において、表示装置側はオーディオ・ビデオメッセージを受信する。当該オーディオ・ビデオメッセージの受信プロセスは上記の通りである。
【０１４６】
ステップＳ１１０５において、表示装置側はメッセージチェックコードが正確であるか否かを検証し、正確であればステップＳ１１０６に移行し、そうでなければステップＳ１１０７に移行する。当該プロセスは、受信側（表示装置側）通信制御ユニット２２１２によって完成される。
【０１４７】
ステップＳ１１０６において、表示装置側は正確なフラグをホスト側に送信する。
【０１４８】
ステップＳ１１０７において、表示装置側は受信したメッセージを復号化し、それに含まれたタイプ情報に基づいて、オーディオメッセージであるか又はビデオメッセージであるかを判断する。ビデオメッセージであればステップＳ１１０８に移行し、オーディオメッセージであればステップＳ１１０９に移行する。
【０１４９】
ステップＳ１１０８において、表示装置側は受信したビデオメッセージを復号化して、画素情報及び表示制御信号になり、表示装置側の表示コントローラ２１４に送信する。表示コントローラ２１４は駆動信号を発生し、表示装置９００を駆動して表示させる。そして、ステップＳ１１０３に戻る。
【０１５０】
ステップＳ１１０９において、表示装置側は、受信したオーディオメッセージを復号化し、生成されたオーディオデータを表示装置側のオーディオＤＡ変換及び電力増幅ユニット２１５に送信し、駆動信号を産生して音声を出すようにスピーカを駆動する。そして、ステップＳ１１０３に戻る。
【０１５１】
ステップＳ１１１０において、表示装置側は再送フラグを送信する。
【０１５２】
ステップＳ１１１１において、ホスト側は再送フラグに応じてオーディオ・ビデオメッセージを再送し、ステップＳ１１０４に移行する。
【０１５３】
図１２は、本発明の第３の実施形態に係る無線表示システムの構成ブロック図である。
【０１５４】
図１２に示すように、ホスト側において、コンピュータグラフィックスカード１１７は有線オーディオ・ビデオインタフェース１１８（具体的に、ＶＧＡ／ＤＶＩインタフェースである）を介してホスト側ＵＷＢ通信部１２０に接続される。当該ホスト側ＵＷＢ通信部１２０は、コンピュータグラフィックスカードと別の独立したハードウェアモジュールであり、有線オーディオ・ビデオインタフェース１１８を介してコンピュータグラフィックスカードと便利に接続可能であり、コンピュータグラフィックスカード１１７から伝送されたビデオ表示信号を受信し、ＵＷＢメッセージに変換してＵＷＢネットワークを介して送信する。コンピュータグラフィックスカードが上記のインタフェースＶＧＡ／ＤＶＩ１１８を介して出力する信号はアナログ信号であるので、無線転送する前にＡＤ変換ユニット１１９でＡＤ変換を行う必要がある。アナログ信号をデジタル信号に変換した後で、ホスト側ＵＷＢ通信部１２０で処理して送信し、当該ホスト側ＵＷＢ通信部１２０の内部構成及び機能は、第１の実施形態の無線表示システムにおけるホスト側ＵＷＢ通信部と同じである。
【０１５５】
表示装置側において、表示装置側ＵＷＢ通信部２２０は、有線オーディオ・ビデオインタフェースＶＧＡ／ＤＶＩ２１８を介して表示装置９００に接続される。表示装置側ＵＷＢ通信部２２０は、ＵＷＢネットワークを介して伝送されたメッセージを受信し、当該メッセージを復号化して画素情報、表示制御信号に変換し、上記の有線オーディオ・ビデオインタフェースＶＧＡ／ＤＶＩ２１８を介して表示装置９００に伝送して表示する。表示装置側ＵＷＢ通信部２２０も、独立したハードウェアモジュールであり、上記有線オーディオ・ビデオインタフェースを介して表示装置側と便利に接続可能である。上記インタフェースＶＧＡ／ＤＶＩ２１８を介して出力される信号がアナログ信号であるべきなので、データ出力部２１０にＤＡ変換ユニット２１７が集積されており、当該ユニットは表示装置側ＵＷＢ通信部２２０から出力されるデジタルビデオ信号を受信し、アナログ信号に変換して上記有線オーディオ・ビデオインタフェースＶＧＡ／ＤＶＩ２１８を介して表示装置に送信し、表示装置を駆動して表示させる。表示装置側ＵＷＢ通信部２２０の構成及び機能は、第１の実施形態の表示装置側ＵＷＢ通信部２２０と同じである。
【０１５６】
このようにして、コンピュータ及び表示装置にそれぞれ有線接続された独立した無線データ通信ユニットによって無線データ通信を完成するが、従来のコンピュータグラフィックスカード及び表示装置を変更しなくて済む。
【０１５７】
本発明の無線表示システムが各種の異なる実施形態であっても良いということは、当業者にとって理解し得ることである。
【０１５８】
１対１の表示は、例えば、１つのＰＣホストが１つのディスプレイに対応することである。この場合、各データ通信手段は、それぞれホスト及びディスプレイに接続される。
【０１５９】
１対複数の表示は、例えば、１つのＰＣホストがマルチのディスプレイに対応することである。この場合、ＵＷＢ転送プロトコルにおけるホストから各ディスプレイへの通信は、マルチキャストやブロードキャストによって実現されるが、勿論、複数のユニキャストによっても実現できる。
【０１６０】
複数対１の表示は、例えば、複数のノートブック型コンピュータが複数のプロジェクタに投影することである。このような場合、各コンピュータは表示装置の画面の一部に投影し、且つ、各コンピュータからの画面データは全画面データではなく、採取して得られたデータであってもよい。
【０１６１】
複数対複数の表示は、例えば、複数のコンピュータを同時に複数のプロジェクタに投影することである。このような場合は、上記の第２と第３の場合の結合である。
【０１６２】
図１３は、本発明の第４の実施形態の構成ブロック図である。
【０１６３】
図面に示すように、ホスト８００は、スケジューリングユニット８１０によって複数のホスト側データ通信手段１００−１，１００−２，１００−３（図面では、３台を例とする）を接続させる。これに対し、表示装置側は、同一の台数の表示装置側データ通信手段２００−１，２００−２，２００−３（ここで、３台を例とする）を有し、併合ユニット９１０を介して表示装置を接続させる。
【０１６４】
上記の各データ通信部は、物理レイヤーにおいて異なるチャネルや周波数帯域を占用することによって、複数のユニットが同時に動作し、無線転送の帯域幅と速度を向上させる。ホスト側のスケジューリングユニット８１０は、オーディオ・ビデオデータをブロックに分割し、ブロックに分割されたオーディオ・ビデオデータを各ホスト側データ通信手段１００−１，１００−２，１００−３に割り当てる。表示装置側において、各表示装置側通信手段２００−１，２００−２，２００−３は、対応するホスト側データ通信手段から送信された情報を受信し、併合ユニット９１０は表示装置側データ通信手段で受信した情報を併合しその組合せを復元して、現在の完全のオーディオ・ビデオ表示、再生内容を生成する。
【０１６５】
本実施例の技術案は、無線データ通信ユニットが充分の帯域幅を有するようにして、画像情報量の多い場合を満たすことができる。
【０１６６】
以上に述べたのは、本発明の好ましい実施例に過ぎない。本発明の主旨と原則を逸脱しない限り、いかなる修正、改良等を行っても本発明の保護範囲に含まれるべきであることは、当業者にとって自明である。したがって、このような修正、改良も本発明の保護範囲であると見なすべきである。
【図面の簡単な説明】
【０１６７】
【図１】本発明の無線表示システムの原理図である。
【図２】本発明の第１の実施形態に係る無線表示システムのブロック図である。
【図３】図２に示すホスト側データ通信手段の実施例の模式図である。
【図４】図２に示す表示装置側データ通信手段の一実施例の模式図である。
【図５】図２に示す表示装置側データ通信手段の他の実施例の模式図である。
【図６】図５に示す表示装置側データ通信手段の動作フローを示す。
【図７】本発明の第１の実施形態に係る無線表示システムの一変形例のブロック図である。
【図８】本発明の第２の実施形態に係る無線表示システムのブロック図である。
【図９】本発明の第２の実施形態に係る無線表示システムの詳しい構成の図である。
【図１０】本発明の第２の実施形態に係る無線表示システムにおけるホストと表示装置との無線接続を確立するフローチャートである。
【図１１】本発明の第２の実施形態の無線表示システムに使用されるデータ転送プロトコルのフローチャートである。
【図１２】本発明の第３の実施形態に係る無線表示システムの構成ブロック図である。
【図１３】本発明の第４の実施形態の構成ブロック図である。
【図１】
2009518902.tif 000003
【図２】
2009518902.tif 000004
【図３】
2009518902.tif 000005
【図４】
2009518902.tif 000006
【図５】
2009518902.tif 000007
【図６】
2009518902.tif 000008
【図７】
2009518902.tif 000009
【図８】
2009518902.tif 000010
【図９】
2009518902.tif 000011
【図１０】
2009518902.tif 000012
【図１１】
2009518902.tif 000013
【図１２】
2009518902.tif 000014
【図１３】
2009518902.tif 000015
【手続補正書】
【提出日】平成20年6月5日(2008.6.5)
【手続補正１】
【補正対象書類名】特許請求の範囲
【補正対象項目名】全文
【補正方法】変更
【補正の内容】
【特許請求の範囲】
【請求項１】
ホスト側無線通信手段と表示装置側データ通信手段とを備える無線表示システムであって、
前記ホスト側無線通信手段が、
ホストのハードウェアから表示データを採取する採取部と、
採取部が採取した表示データをネットワーク転送プロトコルに従って相応するデータメッセージにパッキングするデータプロトコルパッキング部と、
前記データメッセージを無線送信する送信部と、を備え、
前記表示装置側データ通信手段が、
無線送信されたデータメッセージを受信する受信部と、
ネットワーク転送プロトコルに従い、受信したデータメッセージをアンパッキングして表示データを取得するプロトコルアンパッキング部と、
所定のフレーム周波数で表示データに対しリフレッシュ処理を行う出力部と、を備えることを特徴とする無線表示システム。
【請求項２】
前記ホスト側無線通信手段が、採取された表示データを圧縮するデータ圧縮部を更に備え、
前記表示装置側データ通信手段が、アンパッキングされた表示データを伸張するデータ伸張部を更に備えることを特徴とする請求項１に記載の無線表示システム。
【請求項３】
前記通信プロトコルが、ＴＣＰ／ＩＰ、無線ＵＳＢ、無線１３９４、ＤＶＩ／ＨＳＤＩプロトコル、又は予め定義した他の転送プロトコルを採用していることを特徴とする請求項１に記載の無線表示システム。
【請求項４】
前記採取部が、ホストに挿し込まれたグラフィックスカード又はグラフィックコントローラに直接接続された出力インタフェースであることを特徴とする請求項１に記載の無線表示システム。
【請求項５】
ホスト側無線通信手段と複数の表示装置側データ通信手段とを備える無線表示システムであって、
前記ホスト側無線通信手段が、
ホストのハードウェアから表示データを採取する採取部と、
採取部が採取した表示データをネットワーク転送プロトコルに従って相応するデータメッセージにパッキングするデータプロトコルパッキング部と、
前記データメッセージを無線送信する送信部と、を備え、
前記複数の表示装置側データ通信手段のそれぞれが、
無線送信されたデータメッセージを受信する受信部と、
ネットワーク転送プロトコルに従い、受信したデータメッセージをアンパッキングして表示データを取得するデータプロトコルアンパッキング部と、
所定のフレーム周波数で表示データに対しリフレッシュ処理を行う出力部と、を備えることを特徴とする無線表示システム。
【請求項６】
複数のホスト側無線通信手段と表示装置側データ通信手段とを備える無線表示システムであって、
前記複数のホスト側無線通信手段のそれぞれが、
ホストのハードウェアから表示データを採取する採取部と、
採取部が採取した表示データをネットワーク転送プロトコルに従って相応するデータメッセージにパッキングするデータプロトコルパッキング部と、
前記データメッセージを無線送信する送信部と、を備え、
前記表示装置側データ通信手段が、
無線送信されたデータメッセージを受信する受信部と、
ネットワーク転送プロトコルに従い、受信したデータメッセージをアンパッキングして表示データを取得するデータプロトコルアンパッキング部と、
各々のホストに対応する表示データをフレームに合成して、所定のフレーム周波数でリフレッシュ処理を行う出力部と、を備えることを特徴とする無線表示システム。
【請求項７】
複数のホスト側無線通信システムと複数の表示装置側データ通信手段とを備える無線表示システムであって、
前記複数のホスト側無線通信手段のそれぞれが、
ホストのハードウェアから表示データを採取する採取部と、
採取部が採取した表示データをネットワーク転送プロトコルに従って相応するデータメッセージにパッキングするデータプロトコルパッキング部と、
前記データメッセージを無線送信する送信部と、を備え、
前記複数の表示装置側データ通信手段のそれぞれが、
無線送信されたデータメッセージを受信する受信部と、
ネットワーク転送プロトコルに従い、受信したデータメッセージをアンパッキングして表示データを取得するデータプロトコルアンパッキング部と、
各々のホストに対応する表示データをフレームに合成して、所定のフレーム周波数でリフレッシュ処理を行う出力部と、を備えることを特徴とする無線表示システム。
【請求項８】
ホスト側通信手段と表示装置側通信手段とを備える無線表示システムであって、
前記ホスト側通信手段が、
ホストのハードウェアから表示データ及びオーディオデータを含むメディアデータを直接取得するデータ采集部と、
データ采集部が取得したメディアデータをネットワーク転送プロトコルに従って相応するデータメッセージにパッキングするデータプロトコルパッキング部と、
前記データメッセージを無線送信する送信部と、を備え、
表示装置側通信手段が、
無線送信されたデータメッセージを受信する受信部と、
前記ネットワーク転送プロトコルに従い前記データメッセージをアンパッキングして、表示データ及びオーディオデータを含むメディアデータを取得するデータプロトコルアンパッキング部と、
前記表示データとオーディオデータとをそれぞれ表示装置とスピーカとに出力する出力部と、を備えることを特徴とする無線表示システム。
【請求項９】
前記データ采集部が、
表示情報を受信して画素情報及び表示制御信号に変換する画像処理器と、
音声信号を受信してオーディオ信号に変換するオーディオ処理ユニットと、を備えることを特徴とする請求項８に記載の無線表示システム。
【請求項１０】
前記送信部が、
前記ホストと前記表示装置との無線接続を確立する検知・接続ユニットと、
通信品質を制御する通信制御ユニットと、
メッセージを無線信号に符号化・変調して送信する無線ユニットと、を備えることを特徴とする請求項８に記載の無線表示システム。
【請求項１１】
前記通信制御ユニットが、検知応答メッセージで伝送された表示装置のパラメータを受信し、前記パラメータ及びユーザによって設定された表示パラメータに基づいて転送パラメータ及びメッセージ符号化フォーマットを確定し、前記無線ユニットで当該転送パラメータ及びメッセージ符号化フォーマットを送信することを特徴とする請求項１０に記載の無線表示システム。
【請求項１２】
前記通信制御ユニットが、前記表示装置から伝送された信号の強さ及びパケットロス率の結果を検知して、前記ホストと前記表示装置との距離及び干渉を計算し、これに基づき前記無線ユニットの発信電力を調整することを特徴とする請求項１０に記載の無線表示システム。
【請求項１３】
前記データメッセージが、少なくとも（１）表示装置識別子情報と、（２）メッセージタイプ情報と、（３）メッセージ長さ情報と、（４）ビデオメッセージデータ又はオーディオメッセージデータとを含むことを特徴とする請求項１０に記載の無線表示システム。
【請求項１４】
前記ビデオメッセージデータが、少なくとも（１）フィールド同期情報と、（２）ライン同期情報と、（３）画素ユニット識別子と、（４）画素データとを含むことを特徴とする請求項１０に記載の無線表示システム。
【請求項１５】
前記ビデオメッセージデータにおける各種の情報の配置順番が、フィールド同期情報の後に、引き続いて１フィールド内の全てのラインに含まれる画素情報を配置し、ライン同期情報の後に、引き続いて１ライン内に含まれる全ての画素情報を配置することを特徴とする請求項１４に記載の無線表示システム。
【請求項１６】
前記受信部が、
ホストからのデータメッセージを受信する無線部と、
無線部を制御して認証及び鍵合意の動作を行う制御ユニットと、
無線部で受信したデータメッセージを、プロトコルに従い表示データとオーディオデータとにアンパッキングするデータプロトコルアンパッキングユニットと、を備えることを特徴とする請求項８に記載の無線表示システム。
【請求項１７】
前記データプロトコルアンパッキングユニットが、ＨＳＤＩ  Ｃｏｎｔｒｏｌユニットであることを特徴とする請求項８に記載の無線表示システム。
【請求項１８】
前記出力部が、ＶＧＡ  ＤＭＡユニットと、ＶＧＡ  Ｃｏｎｔｒｏｌユニットと、ＶＧＡ  Ｔｉｍｉｎｇユニットとを備えることを特徴とする請求項８に記載の無線表示システム。
【請求項１９】
前記データプロトコルアンパッキングユニットが、組込み型プロセスチップであることを特徴とする請求項８に記載の無線表示システム。
【請求項２０】
前記データ出力部がＧＰＵであることを特徴とする請求項８に記載の無線表示システム。
【請求項２１】
前記表示装置側データ通信手段が、前記表示装置に外部から挿し込まれるか、又は前記表示装置と一体化に集積されていることを特徴とする請求項８に記載の無線表示システム。
【請求項２２】
前記受信部が、
前記ホストから送信された無線信号を受信して復号化する無線ユニットと、
復号化した信号を受信し、更に画素情報、制御信号又はオーディオ信号に復号化するコーデックユニットと、
通信品質を制御する通信制御ユニットと、
前記ホストと前記表示装置との無線接続を確立する検知・接続ユニットと、を備えることを特徴とする請求項８に記載の無線表示システム。
【請求項２３】
前記通信制御ユニットが、ライン及びフィールドのパラメータを確定するための表示装置のパラメータを制御信号から取得することを特徴とする請求項２２に記載の無線表示システム。
【請求項２４】
前記出力部が、
画素情報及び表示制御信号を受信し、前記情報に基づいて前記表示装置を駆動する表示コントローラと、
復号化したオーディオ信号を受信し、スピーカを駆動する駆動信号を発生するオーディオ出力ユニットと、を備えることを特徴とする請求項８に記載の無線表示システム。
【請求項２５】
ホスト側通信手段と複数の表示装置側通信手段とを備える無線表示システムであって、
前記ホスト側通信手段が、
ホストのハードウェアから表示データ及びオーディオデータを含むメディアデータを直接取得するデータ采集部と、
データ采集部が取得したメディアデータをネットワーク転送プロトコルに従って相応するデータメッセージにパッキングするデータプロトコルパッキング部と、
前記データメッセージを無線送信する送信部と、を備え、
前記複数の表示装置側通信手段のそれぞれが、
無線送信されたデータメッセージを受信する受信部と、
前記ネットワーク転送プロトコルに従い前記データメッセージをアンパッキングして、表示データ及びオーディオデータを含むメディアデータを取得するデータプロトコルアンパッキング部と、
前記表示データとオーディオデータとをそれぞれ表示装置とスピーカとに出力する出力部と、を備えることを特徴とする無線表示システム。
【請求項２６】
複数のホスト側通信手段と表示装置側通信手段とを備える無線表示システムであって、
前記複数のホスト側通信手段のそれぞれが、
ホストのハードウェアから表示データ及びオーディオデータを含むメディアデータを直接取得するデータ采集部と、
データ采集部が取得したメディアデータをネットワーク転送プロトコルに従って相応するデータメッセージにパッキングするデータプロトコルパッキング部と、
前記データメッセージを無線送信する送信部と、を備え、
前記表示装置側通信手段が、
無線送信されたデータメッセージを受信する受信部と、
前記ネットワーク転送プロトコルに従い前記データメッセージをアンパッキングして、表示データ及びオーディオデータを含むメディアデータを取得するデータプロトコルアンパッキング部と、
各々のホストからの表示データをフレームに合成して、前記表示データとオーディオデータとをそれぞれ表示装置とスピーカとに出力する出力部と、を備えることを特徴とする無線表示システム。
【請求項２７】
複数のホスト側通信手段と表示装置側通信手段とを備える無線表示システムであって、
前記複数のホスト側通信手段のそれぞれが、
ホストのハードウェアから表示データ及びオーディオデータを含むメディアデータを直接取得するデータ采集部と、
データ采集部が取得したメディアデータをネットワーク転送プロトコルに従って相応するデータメッセージにパッキングするデータプロトコルパッキング部と、
前記データメッセージを無線送信する送信部と、を備え、
前記複数の表示装置側通信手段のそれぞれが、
無線送信されたデータメッセージを受信する受信部と、
前記ネットワーク転送プロトコルに従い前記データメッセージをアンパッキングして、表示データ及びオーディオデータを含むメディアデータを取得するデータプロトコルアンパッキング部と、
各々のホストからの表示データをフレームに合成して、前記表示データとオーディオデータとをそれぞれ表示装置とスピーカとに出力する出力部と、を備えることを特徴とする無線表示システム。
【請求項２８】
無線表示方法であって、
ホスト側において、
ホストのハードウェアから表示データを採取するステップと、
採取された表示データをネットワーク転送プロトコルに従って相応するデータメッセージにパッキングするステップと、
前記データメッセージを無線送信するステップと、
表示装置側において、
無線送信されたデータメッセージを受信するステップと、
ネットワーク転送プロトコルに従い、受信したデータメッセージをアンパッキングして、表示データを取得するステップと、
所定のフレーム周波数で表示データに対しリフレッシュ処理を行うステップと、を含むことを特徴とする無線表示方法。
【請求項２９】
ホスト側において、採取された表示データを圧縮するステップと、
前記表示装置側において、アンパッキングされた表示データを伸張するステップと、を更に含むことを特徴とする請求項２８に記載の無線表示方法。
【請求項３０】
前記通信プロトコルが、ＴＣＰ／ＩＰ、無線ＵＳＢ、無線１３９４、ＤＶＩ／ＨＳＤＩプロトコル、又は予め定義した他の転送プロトコルを採用していることを特徴とする請求項２８に記載の無線表示方法。
【請求項３１】
無線表示方法であって、
ホスト側において、
ホストのハードウェアから表示データ及びオーディオデータを含むメディアデータを直接取得するステップと、
データ采集部が取得したメディアデータをネットワーク転送プロトコルに従って相応するデータメッセージにパッキングするステップと、
前記データメッセージを無線送信するステップと、
表示装置側において、
無線送信されたデータメッセージを受信するステップと、
前記ネットワーク転送プロトコルに従い前記データメッセージをアンパッキングして、表示データ及びオーディオデータを含むメディアデータを取得するステップと、
前記表示データとオーディオデータとをそれぞれ表示装置とスピーカとに出力するステップと、を含むことを特徴とする無線表示方法。
【請求項３２】
前記データメッセージを送信する前に、前記ホストと前記表示装置との接続を確立するステップを更に含むことを特徴とする請求項３１に記載の無線表示方法。
【請求項３３】
前記の接続を確立するステップに、
前記ホストから表示装置の識別子情報を含む検知メッセージを前記表示装置側へ送信するステップと、
前記表示装置が前記検知メッセージを受信し、前記検知メッセージ中の識別子情報を自身の識別子情報と比較するステップと、
前記検知メッセージ中の識別子情報が表示装置自身の識別子情報と一致した場合、表示装置の技術パラメータ及び機種番号を含む検知応答メッセージを前記表示装置からホストへ送信するステップと、
ホストが前記検知応答メッセージを受信し、接続を確立するステップと、を含むことを特徴とする請求項３２に記載の無線表示方法。
【請求項３４】
前記ホストが、前記表示装置の技術パラメータ及び機種番号に基づいて、前記表示装置へ送信されるデータメッセージの符号化フォーマットを確定するステップを更に含むことを特徴とする請求項３３に記載の無線表示方法。
【請求項３５】
前記ホストが、接続確立の際に前記表示装置から伝送された信号の強さ及びパケットロス率の結果に基づいて、前記ホストと前記表示装置との距離及び干渉を計算することによって、無線信号の発信電力を調整するステップを更に含むことを特徴とする請求項３４に記載の無線表示方法。
【請求項３６】
前記表示装置が、検知メッセージの完全性チェックコードを検出して、リンクレイヤーパラメータ及び物理レイヤーパラメータを配置するステップを更に含むことを特徴とする請求項３５に記載の無線表示方法。
【国際調査報告】
2009518902.tif 000016
2009518902.tif 000017
2009518902.tif 000018
2009518902.tif 000019
2009518902.tif 000020
2009518902.tif 000021